(57)【要約】【課題】組み付け作業性の向上することができ、かつ組み付け後におけるデザイン的な制約を回避するための部品点数の増加を防止する。【解決手段】シャフト１６０を挿入してソレノイド１７０を組み付けることで、当該可動部材６２は、シャフト１６０の頭部１６０Ａと、センター役物５６のベース５６Ａとの間に挟まれた形となり、単純にシャフト１６０の挿入のみで組み付けが完了する。このため、可動部材６２を保持するためのＥリング等の止め輪やビス等が不要となり部品点数を軽減することができる。また、デザイン面においても、可動部材６２の表面に露出することがなく、仮に露出した場合にこれを隠すための部材が不要となる。さらに、頭部１６０Ａを可動部材６２の表面に対して面一（陥没でもよい）としたため、可動部材６２の表面に装飾用のシールを貼り付ける際の邪魔になることもない。【選択図】　　　　図４
2004135749.tif 000002
【特許請求の範囲】
【請求項１】
筐体の表面上に配置される可動部材と、前記筐体の裏面側に配置に配置され、前記可動部材を動作させる駆動部とを、前記筐体を貫通するシャフトによって連結し、前記駆動部の駆動力によって前記可動部材を動作させる遊技機の可動部材取付構造であって、
前記可動部材に対して、前記駆動部が位置する側とは反対側の面から前記シャフトを挿入し、当該シャフトの挿入方向後端部に前記可動部材の軸方向抜け止め用の拡径部を形成し、
この拡径部と前記遊技盤とで前記可動部材の軸移動を制限したことを特徴とする遊技機の可動部材取付構造。
【請求項２】
前記駆動部による前記可動部材の動作が回転動作であり、前記シャフトの周面と前記可動部のシャフト貫通孔との間には、前記シャフトと前記可動部とが一体回転するための相対回転阻止手段が設けられていることを特徴とする請求項１記載の遊技機の可動部材取付構造。
【請求項３】
前記可動部材の挿入面には、前記拡径部が前記可動部材に対して、面一又は陥没する溝部が形成されていることを特徴とする請求項１又は請求項２記載の遊技機の可動部材取付構造。
【請求項４】
筐体の表面上に配置される可動部材と、前記筐体の裏面側に配置に配置され、前記可動部材を動作させる駆動部とを、前記筐体を貫通するシャフトによって連結し、前記駆動部の駆動力によって前記可動部材を動作させる遊技機の可動部材取付構造であって、
前記筐体表面と前記駆動部との間に前記シャフトを案内する円筒部が配設され、当該円筒部の内周面を一方の端部から他方の端部にかけて徐々に拡径するテーパー形状とし、
前記円筒部の軸線と前記シャフトの軸線とが一致するように、拡径側端部の内周面と前記シャフトとの隙間を埋め、かつ前記シャフトを回転可能に支持するブッシュを設けたことを特徴とする遊技機の可動部材取付構造。
【発明の詳細な説明】
【０００１】
【発明の属する技術分野】
本発明は、筐体の表面上に配置される可動部材と、前記筐体の裏面側に配置に配置され、前記可動部材を動作させる駆動部とを、前記筐体を貫通するシャフトによって連結し、前記駆動部の駆動力によって前記可動部材を動作させる遊技機の可動部材取付構造に関するものである。
【０００２】
【従来の技術】
従来より、遊技機、特にパチンコ機において、その遊技盤面上には、遊技盤面上方から落下してくるパチンコ球が当接するとでパチンコ球の落下軌道を変更する釘や、当接位置によって自身の回転によって左右に振り分ける風車等が設けられている。
【０００３】
ところで、上記釘や風車は、通常は駆動力を受けて動作するものではなく、パチンコ球の動きが単調になるため、遊技盤面上に可動部材を設置し、遊技盤の裏面側に設けた駆動部の駆動力を受けて動作することで、パチンコ球の動きに大きな変化をもたらすことがなされている。
【０００４】
可動部材の代表的なものとしては、２種パチンコ機の羽根（可動片）がある。羽根は、センター役物の左右に取り付けられており、センター役物の裏面に設置された駆動部からの駆動力で回転し、センター役物の左右を開閉（開放時にパチンコ球の入賞が可能な状態）するようになっている。
【０００５】
遊技盤における、このセンター役物の下方には入賞口が設けられ、パチンコ球がこの入賞口に入賞することで、羽根の約１秒程度の開放が１回又は２回実施される。この開放時にパチンコ球がセンター役物内に入賞し（この入賞で賞球がある）、かつ所定の確率でＶゾーンに入賞することで当たりとなり、前記羽根が所定時間（前記入賞口への入賞時の開放時間に比べて長い時間）、所定回数開放され（１回の開閉を１ラウンドとし、一般に１０〜１６ラウンド継続する。）、パチンコ球の入賞率が高まるため、このセンター役物に設けられた羽根がが開くことで、Ｖゾーンへの入賞チャンスが増え、遊技者に有利となる。
【０００６】
上記センター役物の左右に設けられた羽根等の可動部材は、回転軸心に貫通孔が設けられており、センター役物の裏面側に配設された駆動部からセンター役物の表面まで突出された回転軸（シャフト）の先端部が貫通している。回転軸の貫通先端部には、Ｅリング等の止め輪が嵌合されており、これにより可動部材を組み付けている。また、回転軸の突出先端面に雌ねじを形成し、ビス止めによる組付けもなされている。
【０００７】
なお、可動部材は、上記２種パチンコ機の羽根にに限らず、１種パチンコ機の特別始動入賞口や、特許文献１に記載のような大当たり時に開放する前記大入賞口にも適用されている。
【０００８】
【特許文献１】
特開平１１−２７６６８８号公報
【０００９】
【発明が解決しようとする課題】
しかしながら、Ｅリング等の止め輪で回転軸に羽根を固定する構造の場合、羽根の形状により組付け難く、組み付け作業効率が悪い。また、Ｅリング等の止め輪は、自身の弾性力を利用しているため、組み付け不十分であると、勢いよく脱落する可能性がある。
【００１０】
また、ビス止めにより回転軸に羽根を固定する場合、ビスを螺合する際に羽根に貼り付けているシール等を巻き込み、皺が発生するという不具合がある。
【００１１】
また、Ｅリング等の止め輪による固定、ビス止めのいずれにしても、羽根のデザイン的な要素に制限を受け、これを回避するために、さらに別部材によって隠すといった構造が必要であり、部品点数の増加につながっていた。
【００１２】
また、羽根と駆動部との間の回転軸は、当該回転軸を回転可能に支持するガイド用円筒部に挿通されているが、この円筒部と回転軸との間で動作中に摩擦力が生じ、羽根の円滑な動作を妨げることがある。このため、円筒部の内径を大きくとり、両端開口部近傍のみ回転軸を回転可能に支持するブッシュを設けることが考えられるが、一対のブッシュが必要であり、部品点数が増加する。
【００１３】
本発明は上記事実を考慮し、組み付け作業性の向上することができ、かつ組み付け後におけるデザイン的な制約を回避するための部品点数の増加を防止することができる遊技機の可動部材取付構造を得ることが目的である。
【００１４】
また、上記目的に加え、部品点数を増加することなく、可動部材の動作状態を円滑にすることができる遊技機の可動部材取付構造を得ることが目的である。
【００１５】
【課題を解決するための手段】
請求項１に記載の発明は、筐体の表面上に配置される可動部材と、前記筐体の裏面側に配置に配置され、前記可動部材を動作させる駆動部とを、前記筐体を貫通するシャフトによって連結し、前記駆動部の駆動力によって前記可動部材を動作させる遊技機の可動部材取付構造であって、前記可動部材に対して、前記駆動部が位置する側とは反対側の面から前記シャフトを挿入し、当該シャフトの挿入方向後端部に前記可動部材の軸方向抜け止め用の拡径部を形成し、この拡径部と前記遊技盤とで前記可動部材の軸移動を制限したことを特徴としている。
【００１６】
請求項１記載の発明によれば、駆動部を筐体の所定の位置に組み付けておく。一方、可動部材には、組み付け時に、この可動部材の駆動部が位置する側とは反対側（すなわち、前側）の面からシャフトを挿入し、その挿入方向先端部を駆動部に連結する。シャフトの基部側には、拡径部が形成されているため、所定量の挿入（シャフトの一端部が駆動部に連結された状態）時には、この拡径部と遊技盤面との間に可動部材が挟持されることになり、軸移動が制限される。
【００１７】
これにより、可動部材を組み付けが完了するため、別途、Ｅリング等の止め輪やビス等による締結手段が不要となり、組み付け作業効率を向上することができる。
【００１８】
また、拡径部を可動部材のデザインのひとつとしておけば、従来の止め輪やビス等を隠すための別部材が不要となり、部品点数を減らすことができる。
【００１９】
請求項２に記載の発明は、前記請求項１に記載の発明において、前記駆動部による前記可動部材の動作が回転動作であり、前記シャフトの周面と前記可動部のシャフト貫通孔との間には、前記シャフトと前記可動部材とが一体回転するための相対回転阻止手段が設けられていることを特徴としている。
【００２０】
請求項２に記載の発明によれば、シャフトと可動部材との間には、相対回転阻止手段が設けられているため、シャフトを挿入し、駆動部と連結するのみで、駆動部の駆動力をシャフトを介して可動部材に伝達することができる。
【００２１】
請求項３に記載の発明は、前記請求項１又は請求項２に記載の発明において、前記可動部材の挿入面には、前記拡径部が前記可動部材に対して、面一又は陥没する溝部が形成されていることを特徴としている。
【００２２】
請求項３に記載の発明によれば、拡径部を可動部材の表面に対して面一又は陥没させることで、例えば表面に装飾用のシールを貼り付ける場合に邪魔にならず、デザイン的な妨げを受けることがない。
【００２３】
請求項４に記載の発明は、筐体の表面上に配置される可動部材と、前記筐体の裏面側に配置に配置され、前記可動部材を動作させる駆動部とを、前記筐体を貫通するシャフトによって連結し、前記駆動部の駆動力によって前記可動部材を動作させる遊技機の可動部材取付構造であって、前記筐体表面と前記駆動部との間に前記シャフトを案内する円筒部が配設され、当該円筒部の内周面を一方の端部から他方の端部にかけて徐々に拡径するテーパー形状とし、前記円筒部の軸線と前記シャフトの軸線とが一致するように、拡径側端部の内周面と前記シャフトとの隙間を埋め、かつ前記シャフトを回転可能に支持するブッシュを設けたことを特徴としている。
【００２４】
請求項４に記載の発明によれば、円筒部の内周面を筐体表面から前記駆動部にかけて徐々に拡径するテーパー形状とすることで、片側のみシャフトの軸線と、円筒部の軸線とが一致するようにブッシュを設ければよく、両端をブッシュで支持する構造に比べ、組み付け作業効率が向上すると共に部品点数を削減することができる。
【００２５】
なお、例えば、請求項１乃至請求項３の何れか１項記載の可動部材の取付構造に請求項４の構造を組み合わせた場合等では、円筒部の内周面を前記遊技盤面から前記駆動部にかけて徐々に拡径するテーパー形状とすることが好ましい。
【００２６】
【発明の実施の形態】
図１は、本実施例におけるパチンコ遊技機を正面から見たものであり、主要部材の配置を示す。
【００２７】
パチンコ遊技機（弾球遊技機）１０は、遊技盤面を構成する遊技盤（ゲージ盤）１２と、遊技盤１２を支持固定する遊技機用枠（台枠）としての内枠１６と、外枠１８とから構成されている。内枠１６は、ヒンジ２０、２２を介して外枠１８に取り付けられており、シリンダ錠２４を開けることで前方に開き、遊技盤面の裏面側を操作することができるようになっている。
【００２８】
内枠１６の上方位置には、大当たり動作中に点灯する外部表示ランプ２６が設けられている。また、内枠１６の左側には、球抜き穴２８が設けられ、内枠１６の右側には、錠穴飾り２９が前記シリンダ錠２４を囲むように設けられている。
【００２９】
内枠１６の下部位置には、上受皿セット３０が取り付けられており、さらに、上受皿セット３０の下方には、下受皿セット３２が取り付けられている。
【００３０】
上受皿セット３０には、発射すべき遊技球を供給するための上受皿３４と、上受皿３４内の遊技球を下受皿セット３２側に流す供給解除ボタン３６と、スピーカ３８とが一体的に設けられている。
【００３１】
一方、下受皿セット３２には、賞球等の出玉を貯留するための下受皿４０と、下受皿４０内の遊技球を出玉ケース（ドル箱）内に投下するためのスライド操作部４２と、灰皿４４とが設けられている。
【００３２】
また、下受皿セット３２の右側には、遊技球の発射を操作するためのグリップハンドル４６が設けられ、グリップハンドル４６の左下に位置する部分には、グリップハンドル４６を回転させることで突出する発射ウエイトボタン４８が設けられている。発射ウエイトボタン４８は、グリップハンドル４６を操作して遊技球の打ち出しを行っている最中に押下することで、即座に遊技球の打ち出しを停止することができ、押下を解除すると打ち出しを再開するものである。
【００３３】
遊技盤１２は、ガイドレール５０によって囲まれた通常遊技領域としての、ほぼ円形状の遊技領域５２を備え、ガイドレール５０の先端位置には、遊技領域５２中に発射した遊技球が戻ってくるのを防止するため、ファール球止め５４が設けられている。
【００３４】
遊技領域５２のほぼ中央位置には、第２種特別電動役物となるセンター役物５６を配置している。
【００３５】
第２種特別電動役物とは、センター役物５６内である入賞領域にパチンコ球５８（図２参照）が入賞し、かつ後述するＶゾーンにパチンコ球５８が入賞した場合に、大当りとして、センター役物５６への入賞の確率を大幅に高めることができる遊技形態を備えたものである。
【００３６】
すなわち、センター役物５６は、大当たり時における大入賞口として機能するものであり、センター役物５６内に入賞すべき遊技球の入口部分を開閉する羽根形状の可動部材６２と、可動部材６２の開放中に入賞した遊技球が通過する複数（本実施の形態では、８個）の入賞ゾーン６４Ａ、６４Ｂ、６４Ｃ（一括して示す場合は入賞ゾーン６４という）が設けられている。このセンター役物５６における可動部材６２の開閉動作によって、パチンコ遊技機１０における遊技興趣を高めている。
【００３７】
可動部材６２は、図４に示される如く、可動部材駆動部１５０の駆動力で開閉動作することが可能となっている。
【００３８】
センター役物５６の下方位置には、３個の第２種始動入賞口（以下、単に始動入賞口という）７０、７２、７４が配設されている。
【００３９】
この始動入賞口７０、７２、７４の何れかにパチンコ球５８が入賞することで、前記可動部材６２が所定時間開放する構成となっている。ここで、中央の始動入賞口７２に入賞した場合は、前記所定時間の可動部材６２の開放が２回繰り返され、左右の始動入賞口７０、７４に入賞した場合は、これが１回に設定されている。
【００４０】
また、センター役物５６の左側には左肩入賞口８２を、右側には右肩入賞口８４をそれぞれ設け、左肩入賞口８２の下側には左袖入賞口８６を、右肩入賞口８４の下側には右袖入賞口８８をそれぞれ設けている。
【００４１】
さらに、センター役物５６の左右位置には風車９０、９２を配設し、左右肩入賞口８２、８４の外側には風車９４、９６を、内側には風車９８、１００をそれぞれ配設している。
【００４２】
また、遊技領域５２の最下位置には、入賞しなかった遊技球を回収するためのアウト穴１０２を設けている。
【００４３】
図２及び図３には、本実施の形態に係るセンター役物５６の構成が示されている。
【００４４】
センター役物５６には、図２の紙面奥側から手前側にかけてダウンスロープとなったステージ１０４が設けられている。このステージ１０４の最低位側（すなわち、図２の手前側、図３の左端部側）には、前記３個の入賞ゾーン６４Ａ乃至６４Ｃが横一列に配列されている。このため、ステージ１０４を転動するパチンコ球５８が、この３個の入賞ゾーン６４Ａ乃至６４Ｃの何れかに入賞することになる。
【００４５】
この３個の入賞ゾーン６４Ａ乃至６４Ｃは、図３に示される如く、それぞれ独立した案内路１０６Ａ乃至１０６Ｃを有している（図３では、１個の図示）。
【００４６】
図２は、可動部材６２が開放されている状態を示しており、この開放状態では、パチンコ球５８がセンター役物５６内に入り込むことが可能となる。
【００４７】
この可動部材６２によって案内され、センター役物５６に入賞したパチンコ球５８は、可動部材６２から上段スロープ１１０へ受け渡され、この上段スロープ１１０上の転動することで、センター役物５６の図２の奥側へ移動するようになっている。なお、この上段スロープ１１０の最低位側端部には、縦壁部１１２が設けられており、パチンコ球５８は、この縦壁部１１２に設けられた矩形状の開口部１１４を通過することになる。
【００４８】
図３に示される如く、センター役物５６の奥側には、シャッフルユニット１１６が設けられており、上段スロープ１１０を転動してきたパチンコ球５８は、このシャッフルユニット１１６に入り込むことになる。
【００４９】
シャッフルユニット１１６は、例えば、パチンコ球５８の図２の左右方向位置を変更したり、パチンコ球５８に回転力を付与したり、パチンコ球５８の移動に勢いを付けたりといった所定のアクションを付与することが可能なユニットであり、ゲーム仕様に応じて変更可能となっている。
【００５０】
このシャッフルユニット１１６の図２の前面（図３の左側面）には、出口開口部１１８が設けられており、所定のアクションを付加された状態で排出されるようになっている。排出されたパチンコ球５８は、前記ステージ１０４を前記縦壁部１１２に設けられトンネル部１１９を通過して、図２の手前方向へ転動する。
【００５１】
前記入賞ゾーン６４Ａ乃至６４Ｃは、中央のＶゾーンと、左右の外れゾーンとに分類されている。
【００５２】
すなわち、Ｖゾーンとなる入賞ゾーン６４Ｂに入賞すると当りとなり、可動部材６２を所定時間、所定回数開放させることで、センター役物５６へのパチンコ球５８の入賞確率が高まり、遊技者にとって有利な状態となる。
【００５３】
図４には、センター役物５６に取り付けられた可動部材６２と、可動部材駆動部１５０との連結状態を示す概略構成図が示されている。
【００５４】
可動部材６２の回転軸芯には、この回転軸芯と同軸の貫通孔１５２が設けられている。この貫通孔１５２は、貫通方向中間部で内径に段差が形成されている。すなわち、この貫通方向中間部から遊技盤の表面となる側に大径部１５２Ａが形成され、貫通孔方向中間部から遊技盤奥側が小径部１５２Ｂとなっている。なお、大径部１５２Ａは、一部が弓型に肉盛りされている。
【００５５】
上記構成の可動部材６２は、前記貫通孔１５２の軸線がセンター役物５６のベース５６Ａに設けられた貫通孔１５４の軸線と一致するように位置決めされるようになっている。
【００５６】
センター役物５６のベース部５６Ａには、その裏面側から前記貫通孔１５４と連通する内円１５６を有する円筒部１５８が一体形成されている。
【００５７】
円筒部１５８の内円１５６の内径は、前記ベース部５６Ａ側端部（一端部）が前記可動部材６２の貫通孔１５４と同一とされ、このベース部５６Ａ側端部から他端部にかけて徐々に拡径したテーパー形状となっている。
【００５８】
ここで、前記可動部材６２の表面側、すなわち大径部１５２Ａ側の開口からは、シャフト１６０が挿入され、前記円筒部１５８の内円１５６を通過して円筒部１５８の遊技盤裏面側開口から突出している。シャフト１６０は円形棒状とされ、可動部材６２の回転時の回転軸として機能するようになっている。シャフト１６０の外径は、前記可動部材６２の小径部１５２Ｂと所定の寸法公差の範囲で同一とされている。
【００５９】
ここで、シャフト１６０は円筒部１５８の挿入側基部においては、内円１５６の内径がシャフト１６０の外径とほぼ一致しているが、遊技盤裏面側開口では、隙間が生じる。この隙間を埋めるようにシャフト１６０には、リング状のブッシュ１６２が取り付けられ、このブッシュ１６２は、前記円筒部１５８の遊技盤裏面側開口に嵌合されている。これにより、シャフト１６０は、このシャフト１６０の軸線と内円１５６の軸線とが一致した状態で支持される。
【００６０】
このシャフト１６０の挿入方向基部側は、前記シャフト１６０の外径よりも大きい外径の頭部１６０Ａが形成され、その一部に弓状の切欠部が形成されている。この頭部１６０Ａの軸直角断面形状は、前記可動部材６２の大径部１５２Ａと所定の嵌め合い公差の範囲となっており、シャフト１６０の挿入時には、この頭部１６０Ａは、可動部材６２の貫通孔１５２の大径部１５２Ａに緊密に収容され、嵌合されるようになっている。また、この嵌合状態では、シャフト１６０の頭部１６０Ａの端面と可動部材６２の表面とが面一となる。
【００６１】
一方、可動部材６２の貫通孔１５２における小径部１５２Ｂ及び円筒部１５８の内円１５６を貫通したシャフト１６０の先端部には、可動部材駆動部１５０の一部を構成するカム板１６４に設けられた貫通孔１６４Ａに嵌合されている（シャフト１６０の弓状の切欠と、カム板１６４の貫通孔１６４Ａの弓状の肉盛り）。この貫通孔１６４Ａを貫通したシャフト１６０の先端部は、Ｅリング１６６の装着によって抜け止めが施されている。
【００６２】
一方、カム板１６４の他端部からは、連結ピン１６８が突出されている。
【００６３】
この連結ピン１６８は、可動部材駆動部１５０の主要部を構成するソレノイド１７０の伸縮ロッド１７０Ａに取り付けられたＬ型連結板１７２の長孔１７２Ａに収容されている。このＬ型連結板１７２は、伸縮ロッド１７０Ａの伸縮（往復移動）と同一の動作を行う。なお、ソレノイド１７０は、非通電時は圧縮コイルばね１７４の付勢力で伸縮ロッド１７０Ａが引き込み、通電時は圧縮コイルばね１７４の付勢力に抗して伸縮ロッド１７０Ａが伸び出す。
【００６４】
このＬ型連結板１７２の往復移動により、前記長孔１７２Ａに収容されていた連結ピン１６８が移動すると共に、長孔１７２Ａの範囲内で一端部から他端部の間を移動する。
【００６５】
この移動によって、カム板１６４は、シャフト１６０を中心に回転移動することになる。これにより、シャフト１６０の回転力を受ける可動部材６２が所定角度の範囲で回転動作されることになる。
【００６６】
以下に本実施の形態の作用を説明する。
【００６７】
（遊技の流れ）
始動入賞口７０、７２、７４の何れかにパチンコ球５８が入賞すると、可動部材６２が所定時間開放する。この開放中にパチンコ球５８がセンター役物５６内に入賞すると、可動部材６２によって案内され、可動部材６２から上段スロープ１１０へ受け渡され、この上段スロープ１１０上の転動することで、センター役物５６の図２の奥側へ移動する。
【００６８】
その後、上段スロープ１１０を転動したパチンコ球５８は、シャッフルユニット１１６に入り込み、シャッフルユニット１１６を通過して出口開口部１１８からトンネル部１１９を通過して、図２の手前方向へステージ１０４面に沿って転動し、ステージ１０４の最終端（図２の最前）に設けられた入賞ゾーン６４Ａ乃至６４Ｃ（中央のＶゾーンと、左右の外れゾーン）の何れかに入賞する。
【００６９】
Ｖゾーンである入賞ゾーン６４Ｂをに入賞すると当りとなり、可動部材６２を所定時間、所定回数開放させることで、センター役物５６へのパチンコ球５８の入賞確率が高まり、遊技者にとって有利な状態とすることができる。一方、外れゾーンである入賞ゾーン６４Ａ、６４Ｃに入賞した場合は、可動部材６２が開放されることはなく、所定数の入賞のみとなる。
【００７０】
（可動部材の組み付け手順）
上記センター役物５６の左右に設けられた可動部材６２は、センター役物５６の裏面側に設けた可動部材駆動部１５０の駆動力を受けて開閉動作をする。
このため、センター役物５６を構成する場合、センター役物５６の最前部に設けられた可動部材６２と、最後部に設けられた可動部材駆動部１５０とを組み付ける必要がある。
【００７１】
以下、この可動部材６２の組み付け手順を説明する。
【００７２】
まず、可動部材６２に対して、シャフト１６０を挿入する。この場合、シャフト１６０には頭部１６０Ａが形成されており、この頭部１６０Ａの外径は、可動部材６２に設けた貫通孔１５２の内、小径部１５２Ｂの内径よりも大きいため、頭部１６０Ａが形成された側とは反対側端部を挿入先端として、可動部材６２の表面側から挿入する（図４（Ｄ）参照）。
【００７３】
シャフト１６０を完全に挿入すると、頭部１６０Ａは可動部材６２の大径部１５２Ａに緊密に収容される。このとき、シャフト１６０の切欠部と大径部１５２Ａの肉盛り部とにより、シャフト１６０と可動部材６２との相対回転が阻止される。また、シャフト１６０の完全挿入時においては、頭部１６０Ａの端面が可動部材６２の表面と面一となり、例えば、デザイン上この表面に装飾用シールを貼り付ける場合の妨げになることはない。
【００７４】
可動部材６２とシャフト１６０とを組み付けた状態で、シャフト１６０の挿入先端をセンター役物５６のベース５６Ａに設けられた貫通孔１５４へ挿入する。この貫通孔１５４には、同軸的に円筒部１５８が設けられており、シャフト１６０は、貫通孔１５４及び円筒部１５８の内円１５６を通過して、円筒部１５８の遊技盤裏面側開口から突出する。
【００７５】
ここで、円筒部１５８の内円１５６は、当該遊技盤裏面側開口側にかけて徐々に拡径したテーパー形状となっているため、シャフト１６０と内円１５６との間に隙間が生じている。この隙間を埋めるようにリング状のブッシュ１６２を嵌め込むことで、シャフト１６０の軸線と、内円１５６の軸線とを一致させた状態で保持することができる。
【００７６】
次に、シャフト１６０の挿入先端にカム板１６４を嵌合させる。カム板１６４の嵌合後は、シャフト１６０の挿入先端部にＥリング１６６を装着し、シャフト１６０の抜け止めを施す。
【００７７】
その後、カム板１６４から突出するピン１６８を、ソレノイド１７０の伸縮ロッド１７０Ａに取り付けられたＬ型連結板１７２の長孔１７２Ａに挿入することで組み付けが完了する。
【００７８】
このように本実施の形態では、シャフト１６０を挿入してソレノイド１７０を組み付けることで、当該可動部材６２は、シャフト１６０の頭部１６０Ａと、センター役物５６のベース５６Ａとの間に挟まれた形となり、単純にシャフト１６０の挿入のみで組み付けが完了する。このため、可動部材６２を保持するためのＥリング等の止め輪やビス等が不要となり部品点数を軽減することができる。また、デザイン面においても、可動部材６２の表面に露出することがなく、仮に露出した場合にこれを隠すための部材が不要となる。
【００７９】
さらに、頭部１６０Ａを可動部材６２の表面に対して面一（陥没でもよい）としたため、可動部材６２の表面に装飾用のシールを貼り付ける際の邪魔になることもない。
【００８０】
また、可動部材６２の回転動作は、遊技の進行に非常に重要であるため、可動部材駆動部１５０（ソレノイド１７０）の駆動力を受けて、円滑に開閉（回転）させる必要がある。この場合、本実施の形態では、円筒部１５８をテーパー形状としたため、センター役物５６のベース５６Ａ側端部のみが円筒部１５８の内円１５６と接触することになる。また、円筒部１５８の遊技盤裏面側開口には、ブッシュ１６２を取り付けたため、結果として、シャフト１６０は、２点（正確には、周方向に亘ってリング状に２箇所）で支持されることになるため、回転時の円筒部１５８の内円１５６との摩擦を軽減することができ、シャフト１６０の回転を円滑とすることができる。このため、可動部材６２の開閉動作も円滑とすることができる。
【００８１】
なお、本実施の形態では、可動部材６２をセンター役物に取り付けたため、センター役物５６のベース５６Ａを筐体としたが、可動部材６２を遊技盤１２に直接取り付け場合は、この遊技盤１２が筐体となり得る。
【００８２】
また、本実施の形態では、２種パチンコ遊技機１０のセンター役物５６に設けた可動部材６２を例にとり説明したが、１種パチンコ遊技機の特別始動入賞口に設けた電動チューリップや大入賞口に設けた開閉部材等の他の可動部材の組み付けにも適用可能である。
【００８３】
【発明の効果】
以上説明した如く本発明では、組み付け作業性の向上することができ、かつ組み付け後におけるデザイン的な制約を回避するための部品点数の増加を防止することができるという優れた効果を有する。
【００８４】
また、上記効果に加え、部品点数を増加することなく、可動部材の動作状態を円滑にすることができるという効果を有する。
【図面の簡単な説明】
【図１】本実施の形態に係るパチンコ遊技機の正面図である。
【図２】センター役物の内部構造を示す正面図である。
【図３】図２の右側面図である。
【図４】（Ａ）は可動部材と可動部材駆動部との連結状態を図３の状態でみた場合の正面図、（Ｂ）は図４（Ａ）の左側面図、（Ｃ）は図４（Ａ）の右側面図、（Ｄ）は図４（Ｂ）のＩＶＤ−ＩＶＤ線断面図、（Ｅ）は可動部材へのシャフトの挿入手順を示す正面図である。
【符号の説明】
１０　　パチンコ遊技機
１２　　遊技盤
５６　　センター役物（筐体）
６２　　可動部材
１５０　　可動部材駆動部（駆動部）
１５２　　貫通孔
１５２Ａ　　大径部
１５２Ｂ　　小径部
１５６　　内円
１５８　　円筒部
１６０　　シャフト
１６０Ａ　　頭部（拡径部）
１６２　　ブッシュ
１６４　　カム板
１６６　　Ｅリング
１７０　　ソレノイド
【図１】
2004135749.tif 000003
【図２】
2004135749.tif 000004
【図３】
2004135749.tif 000005
【図４】
2004135749.tif 000006